(57)【要約】【課題】視聴している番組放送が終了したか否かの判断を、より正確に行うことができるテレビ受像機を実現する。【解決手段】テレビ受像機１００において、受信部１０で受信した所定の放送に関する放送信号に基づく受信映像を映像表示部４０の表示領域Ｒに表示する際に、その表示領域Ｒに対し設定された判別領域Ｈに対応する受信映像に基づき、所定の放送が終了したと判断したことに基づいて、テレビ受像機１００の電源をオフに切り替えることとした。この映像表示部４０の表示領域Ｒにおける判別領域Ｈを任意に設定することを可能としたことによって、受信映像に基づき放送終了を判断しやすい表示領域Ｒを判別領域Ｈとし、その判別領域Ｈ内に放送終了の判断の妨げになるような表示部分が入らないように設定することで、所定の放送の終了をより正確に判断することを可能にした。【選択図】図１
2006339805.tif 000002
【特許請求の範囲】
【請求項１】
所定の放送に関する放送信号を受信する受信部と、
前記受信部が受信した前記放送信号に基づく受信映像を所定の表示領域に表示する映像表示部と、
前記映像表示部の前記表示領域の略中央側に、前記放送が終了したか否かを判別するための判別領域を設定する判別領域設定手段と、
予め設定された設定時間を計時するとともに、前記設定時間後に当該テレビ受像機の電源をオンからオフに切り替えるオフタイマー制御手段と、
前記オフタイマー制御手段が前記設定時間を計時している間、前記放送信号に応じた前記受信映像における前記判別領域に対応する受信映像の経時変化量の割合が所定の割合範囲内であることに基づき、前記放送が終了したか否かを判断する判断手段と、
前記判断手段が、前記放送が終了したと判断したことに基づいて、当該テレビ受像機の電源をオフに切り替える映像停止制御手段と、
を備えることを特徴とするテレビ受像機。
【請求項２】
所定の放送に関する放送信号を受信する受信部と、
前記受信部が受信した前記放送信号に基づく受信映像を所定の表示領域に表示する映像表示部と、
前記映像表示部の前記表示領域に対し、前記放送が終了したか否かを判別するための判別領域を設定する判別領域設定手段と、
前記放送信号に応じた前記受信映像における前記判別領域に対応する受信映像に基づき、前記放送が終了したか否かを判断する判断手段と、
前記判断手段が、前記放送が終了したと判断したことに基づいて、当該テレビ受像機の電源をオフに切り替える映像停止制御手段と、
を備えることを特徴とするテレビ受像機。
【請求項３】
前記判断手段は、前記受信映像の経時変化量の割合が所定の割合範囲内であることに基づき、前記放送の終了を判断することを特徴とする請求項２に記載のテレビ受像機。
【請求項４】
予め設定された設定時間を計時するとともに、前記設定時間後に当該テレビ受像機の電源をオンからオフに切り替えるオフタイマー制御手段を備え、前記オフタイマー制御手段が前記設定時間を計時している間、前記判断手段は前記放送が終了したか否かを判断することを特徴とする請求項２又は３に記載のテレビ受像機。
【請求項５】
前記判別領域は、前記表示領域の略中央側に設定されることを特徴とする請求項２〜４のいずれか一項に記載のテレビ受像機。
【発明の詳細な説明】
【技術分野】
【０００１】
本発明は、テレビ受像機に関する。
【背景技術】
【０００２】
従来、選局されたチャンネルの放送信号を受信して、その放送信号に応じた映像や音声を出力するテレビ受像機がある。
【０００３】
このテレビ受像機において、アンテナやチューナーを介して受信する放送信号などの有無を監視するとともに、その放送信号の入力がないことを検知した場合や、放送信号が所定の映像態様（例えば、番組放送終了後のカラーバー画像やモノスコ画像など）に関する信号であることを検知した場合に、番組放送が終了したものと判断してテレビ受像機の電源をオフに切り替えるテレビ受像機が知られている（例えば、特許文献１、特許文献２参照。）。
【０００４】
また、選局動作に使用する同期信号とＡＦＴ電圧とに基づき放送信号の有無を監視し、放送信号の入力がない場合に番組放送が終了したものと判断して、テレビ受像機の電源をオフに切り替えるテレビ受像機が知られている（例えば、特許文献３参照。）。
【０００５】
また、入力された放送信号や映像信号に対応する映像に所定時間以上の無効映像や無映像状態が含まれていることを検出した場合や、入力された放送信号や映像信号に対応する音声に所定時間以上の無音声状態が含まれていることを検出した場合に、番組放送が終了したものと判断してテレビ受像機の電源をオフに切り替えるテレビ受像機が知られている（例えば、特許文献４参照。）。
【０００６】
また、近年では、所定の番組の放送終了後に固定カメラなどによって撮影された風景などを放映し続けることがあるので、テレビ受像機が受信した放送信号に対応する映像の画像データを所定のタイミング毎に比較することで画像データの経時的変化率を取得し、その画像データの変化率が所定の閾値を下回る場合に、その放送信号は放送終了後の風景映像に関する信号であると判断し、番組放送が終了したものと判断することができるテレビ受像機が知られている。
【特許文献１】特開平５−２３６３９４号公報
【特許文献２】特開２００１−２４５２３８号公報
【特許文献３】特開平１１−２０３８５０号公報
【特許文献４】特開平９−２６１５５４号公報
【発明の開示】
【発明が解決しようとする課題】
【０００７】
しかしながら、上記従来技術の場合、テレビ受像機が受信した放送信号が番組放送終了後の風景映像に関する信号であっても、その風景映像の隅において天気予報図などの表示・非表示が切り替えられたりすることにより、その放送信号の画像データの変化率が所定の閾値を上回ってしまい、番組放送が終了したものと判断することができないことがある。そのような場合、番組放送が終了しているにもかかわらず、テレビ受像機の電源をオフに切り替えることができないので、所定の節電が行えないという問題があった。
【０００８】
また、通常のテレビサイズ（４：３のフルスクリーンサイズ）の画面で映画などを観賞する際、映像自体を１６：９のワイドスクリーンサイズで観賞するように、映像画面の上下に黒帯を入れたレターボックスサイズによる表示を行った場合に、その黒帯部分の映像変化がないため、映像全体としての画像データの変化率が低いものと判断されてしまうことにより、その変化率が所定の閾値を下回るものとして番組放送が終了したものと判断されてしまい、映画鑑賞中にテレビ受像機の電源がオフに切り替わってしまうという問題があった。
【０００９】
本発明の目的は、視聴している番組放送が終了したか否かの判断を、より正確に行うことができるテレビ受像機を提供することである。
【課題を解決するための手段】
【００１０】
以上の課題を解決するため、請求項１記載の発明は、テレビ受像機であって、所定の放送に関する放送信号を受信する受信部と、前記受信部が受信した前記放送信号に基づく受信映像を所定の表示領域に表示する映像表示部と、前記映像表示部の前記表示領域の略中央側に、前記放送が終了したか否かを判別するための判別領域を設定する判別領域設定手段と、予め設定された設定時間を計時するとともに、前記設定時間後に当該テレビ受像機の電源をオンからオフに切り替えるオフタイマー制御手段と、前記オフタイマー制御手段が前記設定時間を計時している間、前記放送信号に応じた前記受信映像における前記判別領域に対応する受信映像の経時変化量の割合が所定の割合範囲内であることに基づき、前記放送が終了したか否かを判断する判断手段と、前記判断手段が、前記放送が終了したと判断したことに基づいて、当該テレビ受像機の電源をオフに切り替える映像停止制御手段と、を備えることを特徴とする。
【００１１】
請求項２記載の発明は、テレビ受像機であって、所定の放送に関する放送信号を受信する受信部と、前記受信部が受信した前記放送信号に基づく受信映像を所定の表示領域に表示する映像表示部と、前記映像表示部の前記表示領域に対し、前記放送が終了したか否かを判別するための判別領域を設定する判別領域設定手段と、前記放送信号に応じた前記受信映像における前記判別領域に対応する受信映像に基づき、前記放送が終了したか否かを判断する判断手段と、前記判断手段が、前記放送が終了したと判断したことに基づいて、当該テレビ受像機の電源をオフに切り替える映像停止制御手段と、を備えることを特徴とする。
【００１２】
請求項３記載の発明は、請求項２に記載のテレビ受像機において、前記判断手段は、前記受信映像の経時変化量の割合が所定の割合範囲内であることに基づき、前記放送の終了を判断することを特徴とする。
【００１３】
請求項４記載の発明は、請求項２又は３に記載のテレビ受像機において、予め設定された設定時間を計時するとともに、前記設定時間後に当該テレビ受像機の電源をオンからオフに切り替えるオフタイマー制御手段を備え、前記オフタイマー制御手段が前記設定時間を計時している間、前記判断手段は前記放送が終了したか否かを判断することを特徴とする。
【００１４】
請求項５記載の発明は、請求項２〜４のいずれか一項に記載のテレビ受像機において、前記判別領域は、前記表示領域の略中央側に設定されることを特徴とする。
【発明の効果】
【００１５】
請求項１記載の発明によれば、テレビ受像機において、受信部で受信した所定の放送に関する放送信号に基づく受信映像を映像表示部の表示領域に表示するように放映する際に、その表示領域の略中央側に設定された判別領域に対応する受信映像の経時変化量の割合が所定の割合範囲内であることに基づき、テレビ受像機が所定の放送が終了したと判断したことに基づいて、テレビ受像機の電源をオフに切り替えることができる。
【００１６】
特に、このテレビ受像機において、映像表示部の表示領域における判別領域は、表示領域の略中央側に設定されるので、表示領域の隅部に表示される頻度が高い、放送終了の判断の妨げになるような表示部分が判別領域内に入らないようにすることができる。
【００１７】
よって、テレビ受像機は、所定の放送の終了をより正確に判断することができる。
【００１８】
そして、放送の終了を正確に判断し、テレビ受像機の電源をオフに切り替えることによって、テレビ受像機の消費電力を低減し、節電を行うことができる。
【００１９】
また、テレビ受像機は、受信映像の経時変化量の割合が所定の割合範囲内であることに基づき、所定の放送が終了したことを判断することができる。この放送信号に基づく受信映像の経時変化量の割合が所定の割合範囲内である状態とは、映像の変化がほとんどない状態であり、例えば、放送終了後の放送局周辺の映像が表示される状態に対応しているので、テレビ受像機において、所定の放送が終了し「放送局周辺の光景の映像」となった際に、テレビ受像機の電源をオフに切り替えることができる。
【００２０】
よって、テレビ受像機において、放送終了後の不要な映像である「放送局周辺の光景の映像」を放映しないように、テレビ受像機はオフ状態となるので、節電を行うことができる。
【００２１】
また、テレビ受像機は、予め設定された設定時間を計時するとともに、その設定時間後にテレビ受像機の電源をオンからオフに切り替える、おやすみタイマーなどのオフタイマー制御手段を備えており、その設定時間が計時されるようにタイマーがセットされた状態において、所定の放送が終了したか否か判断するようになっている。つまり、使用者が、おやすみタイマーなどのオフタイマー制御手段によって電源オフタイムとしての設定時間を設定し、あと何時間、何時までのように、所定の放送に関する放送信号に基づく受信映像の放映を視聴しようとした際に、その設定時間前にその放送が終了してしまった場合に、テレビ受像機は、放送終了後の不要な映像を放映しないようにオフ状態となるので、節電を行うことができる。
【００２２】
請求項２記載の発明によれば、テレビ受像機において、受信部で受信した所定の放送に関する放送信号に基づく受信映像を映像表示部の表示領域に表示するように放映する際に、その表示領域に対し設定された判別領域に対応する受信映像に基づき、テレビ受像機が所定の放送が終了したと判断したことに基づき、テレビ受像機の電源をオフに切り替えることができる。
【００２３】
特に、このテレビ受像機は、映像表示部の表示領域における判別領域を任意に設定することができるので、受信映像に基づき放送の終了を判断しやすい表示領域を判別領域とし、その判別領域内に放送終了の判断の妨げになるような表示部分が入らないように設定することで、所定の放送の終了をより正確に判断することが可能になる。
【００２４】
そして、放送の終了を正確に判断し、テレビ受像機の電源をオフに切り替えることによって、テレビ受像機の消費電力を低減し、節電を行うことができる。
【００２５】
請求項３記載の発明によれば、請求項２に記載の発明と同様の効果が得られることは無論のこと、判断手段は、受信映像の経時変化量の割合が所定の割合範囲内であることに基づき、放送の終了について判断することができる。
【００２６】
ここで、放送信号に基づく受信映像の経時変化量の割合が所定の割合範囲内である状態は、映像の変化がほとんどない状態であり、例えば、放送終了後の放送局周辺の映像が表示される状態に対応しているので、テレビ受像機において、所定の放送が終了し「放送局周辺の光景の映像」となった際に、テレビ受像機の電源をオフに切り替えることができる。
【００２７】
よって、テレビ受像機において、放送終了後の不要な映像である「放送局周辺の光景の映像」を放映しないように、テレビ受像機はオフ状態となるので、節電を行うことができる。
【００２８】
請求項４記載の発明によれば、請求項２又は３に記載の発明と同様の効果が得られることは無論のこと、テレビ受像機は、予め設定された設定時間を計時するとともに、その設定時間後にテレビ受像機の電源をオンからオフに切り替える、おやすみタイマーなどのオ
フタイマー制御手段を備えており、その設定時間が計時されるようにタイマーがセットされた状態において、所定の放送が終了したか否か判断するようになっている。
【００２９】
つまり、使用者が、おやすみタイマーなどのオフタイマー制御手段によって電源オフタイムとしての設定時間を設定し、あと何時間、何時までのように、所定の放送に関する放送信号に基づく受信映像の放映を視聴しようとした際に、その設定時間前にその放送が終了してしまった場合に、テレビ受像機は、放送終了後の不要な映像を放映しないようにオフ状態となるので、節電を行うことができる。
【００３０】
請求項５記載の発明によれば、請求項２〜４のいずれか一項に記載の発明と同様の効果が得られることは無論のこと、判別領域は表示領域の略中央側に設定されるので、表示領域の隅部に表示される頻度が高い、放送終了の判断の妨げになるような表示部分が判別領域内に入らないようにすることができる。
【００３１】
よって、テレビ受像機は、所定の放送の終了をより正確に判断することができる。
【発明を実施するための最良の形態】
【００３２】
以下、図面を参照して本発明に係るテレビ受像機の実施の形態について詳細に説明する。
【００３３】
図１は、本発明に係るテレビ受像機の要部構成を示すブロック図である。
【００３４】
図１に示すように、テレビ受像機１００は、放送信号を受信する受信部１０と、記録媒体に記録されている映像信号を再生する映像再生装置２０と、放送信号に基づく受信映像データに応じた音声や、映像信号に基づく再生映像データに応じた音声を出力する音声出力部３０と、放送信号に基づく受信映像データに応じた受信映像や、映像信号に基づく再生映像データに応じた再生映像を表示する映像表示部４０と、テレビ受像機に対して所定の設定入力や操作入力を行うための操作部６０と、上記各部の動作を制御する制御部５０等を備えている。なお、テレビ受像機１００は、映像再生装置一体型テレビ受像機である。
【００３５】
受信部１０は、例えば、アンテナ機器であり、選局されたチャンネルなどに応じた所定の放送信号を受信するとともに、受信した放送信号を制御部５０に送出する。
【００３６】
映像再生装置２０は、例えば、ＤＶＤ（Digital Versatile Disk）装置であり、所定の記録媒体であるＤＶＤに記録されている映像信号を再生し、その映像信号をデジタルデータである音声データと画像データとからなる再生映像データに変換するとともに、その映像信号に基づく再生映像データの音声データや画像データを、制御部５０を介して音声出力部３０や映像表示部４０に出力する。
【００３７】
音声出力部３０は、例えば、スピーカ機器であり、受信部１０が受信した放送信号に基づく受信映像データの音声データに応じた音声や、映像再生装置２０が再生した映像信号に基づく再生映像データの音声データに応じた音声を出力する。
【００３８】
映像表示部４０は、例えば、液晶表示機器であり、受信部１０が受信した放送信号に基づく受信映像データの画像データに応じた受信映像や、映像再生装置２０が再生した映像信号に基づく再生映像データの画像データに応じた再生映像を表示する。この映像表示部４０は、図２に示すように、受信映像や再生映像を表示する表示領域Ｒを備えている。
【００３９】
操作部６０は、テレビ受像機１００に対して所定の設定入力や操作入力を行うための図示しない各種操作キーを備えている。
【００４０】
特に、操作部６０は、映像表示部４０の表示領域Ｒに対し、後述する判別領域Ｈを設定する判別領域設定手段の一部として機能する。
【００４１】
制御部５０は、例えば、ＣＰＵ５１を備えており、操作部６０等から入力される操作入力信号や、予め設定されている設定データ等に応じて、ＲＯＭ５２などに格納されているテレビ受像機用の各種制御プログラムに従って各部の動作を集中制御し、その処理結果をＲＡＭ５３内のワークエリアに格納する。
【００４２】
そして、制御部５０は、テレビ受像機１００を構成する各部の動作を制御する。
【００４３】
そして、制御部５０は、受信部１０が受信した放送信号をデジタルデータである音声データと画像データとからなる受信映像データに変換するとともに、その放送信号に基づく受信映像データの音声データや画像データを音声出力部３０や映像表示部４０に出力する受信映像出力制御手段として機能する。
【００４４】
また、制御部５０は、映像表示部４０の表示領域Ｒに対し、所定の放送が終了したか否かを判別するための判別領域Ｈを設定する判別領域設定手段として機能する。
【００４５】
そして、操作部６０の所定の操作キーが押下されることにより、判別領域設定手段としての制御部５０は、映像表示部４０の表示領域Ｒを判別領域Ｈと非判別領域Ｂとに区分するように、判別領域Ｈを設定する制御を実行する。
【００４６】
この映像表示部４０における表示領域Ｒの判別領域Ｈには、図３に示すように、様々な判別領域パターンがある。
【００４７】
例えば、図３（ａ）に示す映像表示部４０の表示領域Ｒには、表示領域Ｒの略中央側の判別領域Ｈ１と、その判別領域Ｈ１の上下に位置する非判別領域Ｂ１とが設定されている。この判別領域Ｈ１のパターンは、通常のテレビサイズ（４：３のフルスクリーンサイズ）の画面で映画などの映像を１６：９のワイドスクリーンサイズで観賞する際に、表示領域Ｒの上下に表示される黒帯部分を非判別領域Ｂ１としたり、表示領域Ｒの上下に表示される天気予報図などの挿入画や字幕部分を非判別領域Ｂ１としたりする場合に有効なパターンである。
【００４８】
また、図３（ｂ）に示す映像表示部４０の表示領域Ｒには、表示領域Ｒの略中央側の判別領域Ｈ２と、その判別領域Ｈ２の左右に位置する非判別領域Ｂ２とが設定されている。この判別領域Ｈ２のパターンは、１６：９のワイドスクリーンサイズの画面で通常のテレビサイズ（４：３のフルスクリーンサイズ）の映像を観賞する際に、表示領域Ｒの左右に表示される黒帯部分を非判別領域Ｂ２としたり、表示領域Ｒの左右に表示される天気予報図などの挿入画や字幕部分を非判別領域Ｂ２としたりする場合に有効なパターンである。
【００４９】
また、図３（ｃ）に示す映像表示部４０の表示領域Ｒには、表示領域Ｒの略中央側の判別領域Ｈ３と、その判別領域Ｈ３の周囲に位置する非判別領域Ｂ３とが設定されている。この判別領域Ｈ３のパターンは、表示領域Ｒの中心側に映像を小画面表示する場合に有効なパターンである。
【００５０】
また、図３（ｄ）に示す映像表示部４０の表示領域Ｒには、表示領域Ｒの略中央側の判別領域Ｈ４と、その判別領域Ｈ４の下側に位置する非判別領域Ｂ４とが設定されている。この判別領域Ｈ４のパターンは、表示領域Ｒの隅部に表示される天気予報図などの挿入画や字幕部分を非判別領域Ｂ２とする場合に有効なパターンである。なお、非判別領域Ｂ４は判別領域Ｈ４の上側、左側、右側の何れに位置してもよい。
【００５１】
また、図示しないが、表示領域Ｒの略中央側に設定された判別領域Ｈの上側、下側、左側、右側の何れか２辺、３辺を非判別領域Ｂとして設定するパターンであってもよい。
【００５２】
そして、操作部６０の所定の操作に基づき、何れかの判別領域パターンが選択設定された後、所定の領域設定キーが押下されることにより、判別領域設定手段としての制御部５０は、映像表示部４０の表示領域Ｒの判別領域Ｈや非判別領域Ｂの幅などを広げたり狭めたりすることによって、判別領域Ｈと非判別領域Ｂとの比率を調整するように、判別領域Ｈを任意の位置に任意の大きさに設定する制御を実行する。
【００５３】
また、制御部５０は、受信部１０が受信した放送信号に応じた受信映像に基づき、所定の放送が終了したか否かを判断する判断手段として機能する。
【００５４】
特に、制御部５０は、受信部１０が受信した放送信号に応じた受信映像における判別領域Ｈに対応する受信映像に基づき、所定の放送が終了したか否かを判断する判断手段として機能する。
【００５５】
この判断手段としての制御部５０は、受信映像における判別領域Ｈに対応する受信映像の経時変化量の割合が所定の割合範囲内であることに基づき、所定の放送が終了したことを判断する。
【００５６】
ここで、放送信号における画像データに基づく受信映像の経時変化量の割合が所定の割合範囲内である状態は、放送電波が停波状態ではなく、また、放送電波が電波試験用の放送電波ではないが、映像の変化がほとんどない状態であり、放送局周辺の光景や定点カメラからの光景の画像が表示される状態に対応している。そして、放送局周辺などを車両や人物が通行するなどすれば、それらの動きが画像の変化量となる。
【００５７】
つまり、放送局周辺などの光景の画像は通常放送の際の画像に比べてその画像の変化量の割合は少ないので、予め定められている映像の変化量の基準値に対して、例えば、その放送信号に基づく映像の変化量の割合が閾値である５０％以下である場合に、所定の放送が終了したと判断されるようになっている。
【００５８】
なお、通常放送における映像の変化量について予め測定や検出が行われて、基準値となる変化量１００％の値が設定されるようになっている。
【００５９】
具体的には、判断手段としての制御部５０は、所定のタイミングで取得した放送信号に関する画像データを制御部５０のＲＡＭ５３に記憶するとともに、所定の時間後（例えば、１分後や、５分後）に新たな放送信号に関する画像データを取得する。そして、先に取得した画像データと後から取得した画像データとを比較して、その画像の変化量が閾値としての５０％以下である場合には、その放送が終了したものと判断する。一方、その画像の変化量が閾値としての５０％を越える場合には、まだ所定の放送に関する放送信号を受信しているものとし、後から取得した画像データを制御部５０のＲＡＭ５３に記憶し、所定の時間後に新たな放送信号の画像データを取得して、ＲＡＭ５３に記憶されている画像データと新たに取得した画像データとを比較することを繰り返す。
【００６０】
なお、「カラーバー画面」や「モノスコ画面」に関する画像データは、どのタイミングの画像データであっても同じものであるので、先に取得した画像データと後から取得した画像データとを比較した際の変化量はほぼ０％となり、閾値である５０％以下である。
【００６１】
特に、本発明における判断手段としての制御部５０は、予め設定された判別領域Ｈに対応する受信映像の経時変化量の割合が所定の割合範囲内であることに基づき、所定の放送が終了したと判断するようになっているので、予め定められた非判別領域Ｂに対応する受信映像の変化に関しては放送終了の判断に影響を及ぼさないようになっている。
【００６２】
つまり、表示領域Ｒに表示される黒帯部分を非判別領域Ｂとすることによって、その黒帯部分の映像変化がないことが全体の映像の変化量を低下させてしまうことを防止し、また、表示領域Ｒに表示される天気予報図などの挿入画や字幕部分を非判別領域Ｂとすることによって、その挿入画や字幕部分の映像変化が全体の映像の変化量を増大させてしまうことを防止することができるので、より正確に番組放送が終了した際の映像に基づき、放送終了を判断することができるようになっている。
【００６３】
また、判断手段としての制御部５０は、放送信号に同期信号が含まれていないことに基づき、所定の放送が終了したことを判断する。
【００６４】
ここで、放送信号に同期信号が含まれていないという状態は、放送電波が停波状態となっていることを示し、所定の放送が終了し「砂嵐画面」となる状態に対応している。
【００６５】
また、判断手段としての制御部５０は、音声データが特定の周波数を有する音声信号であることと、画像データが特定の画像を表示する画像信号であることに基づき、所定の放送が終了したことを判断する。
【００６６】
ここで、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応している。
【００６７】
なお、判断手段としての制御部５０が、放送電波が停波状態となっていることや、放送電波が電波試験用の放送電波であることや、放送電波に基づく画像が放送局周辺などの光景の画像であることを判断する方法は、既知の技術であるので、ここでは詳述しない。
【００６８】
また、制御部５０は、予め設定された設定時間を計時するとともに、その設定時間後にテレビ受像機１００の電源をオンからオフに切り替えるオフタイマー制御手段として機能する。
【００６９】
なお、設定時間は、操作部６０等から入力され、ＲＡＭ５３等に記憶され設定されるようになっており、任意の時間を設定することができる。また、設定時間は、電源がオンからオフに切り替えられる時刻（例えば、ＡＭ２時）を設定してもよく、電源がオンからオフに切り替えられるまでの所定の時間（例えば、１時間３０分）を設定してもよい。
【００７０】
特に、判断手段としての制御部５０は、オフタイマー制御手段としての制御部５０が、設定された設定時間を計時している間、判断手段としての制御部５０が、所定の放送が終了したか否かを判断するようになっている。つまり、設定時間後にテレビ受像機１００の電源をオンからオフに切り替えるように、オフタイマーがセットされている状態において、判断手段としての制御部５０が、所定の放送が終了したか否かを判断するようになっている。
【００７１】
また、制御部５０は、判断手段としての制御部５０が、所定の放送が終了したと判断したことに基づいて、画像表示部４０における放送信号に基づく受信映像の表示や、音声出力部３０における放送信号に基づく音声の出力を停止する映像停止制御手段として機能する。
【００７２】
この映像停止制御手段としての制御部５０は、テレビ受像機１００の電源をオフに切り替えることにより、映像表示部４０における受信映像の表示を非表示に切り替える制御を実行してもよく、また、ＤＶＤに記録されている映像信号を映像再生装置２０によって再生し、その映像信号に基づく再生映像を画像表示部４０に表示するように切り替えて、放送信号に基づく受信映像を非表示に切り替える制御を実行してもよい。
【００７３】
つまり、テレビ受像機１００において、判断手段としての制御部５０が、所定の放送が終了したと判断したことに伴い、速やかにテレビ受像機１００の電源をオフに切り替えてもよく、また、判断手段としての制御部５０が、所定の放送が終了したと判断したことに基づき、放送信号に基づく受信映像を表示しないように映像再生装置２０によって再生した映像信号を表示した後、所定のタイミングでテレビ受像機１００の電源をオフに切り替えてもよい。
【００７４】
次に、テレビ受像機１００において、放送信号に基づいて番組放送の終了を判断して、受信映像を非表示に切り替える処理の一例について、図４に示すフローチャートに基づき説明する。
【００７５】
まず、テレビ受像機１００において、図示しないメインスイッチが押下されたことにより、テレビ受像機１００は受信部１０を介して、選択されたチャンネルなどに応じた所定の放送に関する放送信号を受信する（ステップＳ１０１）。
【００７６】
そして、制御部５０は、受信した放送信号をデジタルデータである音声データと画像デ
ータからなる受信映像データに変換するとともに、音声データに基づく音声と画像データに基づく映像や画像を、それぞれ音声出力部３０と画像表示部４０から出力するようにして、その放送信号に基づく受信映像データに応じたテレビ放映が行われる（ステップＳ１０２）。
【００７７】
次いで、操作部６の所定の操作キーが操作されることに基づき、映像表示部４０の表示領域Ｒを判別領域Ｈと非判別領域Ｂとに区分するように、所望する位置に所望するサイズの判別領域Ｈを設定する（ステップＳ１０３）。
【００７８】
次いで、制御部５０は、テレビ受像機１００においてオフタイマーがセットされたか否か判断する（ステップＳ１０４）。
【００７９】
制御部５０が、オフタイマーはセットされていないと判断すると（ステップＳ１０４；Ｎｏ）、ステップＳ１０１に戻り、放送信号に基づくテレビ放映を継続する。
【００８０】
一方、制御部５０が、オフタイマーがセットされたと判断すると（ステップＳ１０４；Ｙｅｓ）、制御部５０は時刻や時間を計時するとともに、設定されたオフタイマーの設定時刻になったか否か判断する（ステップＳ１０５）。
【００８１】
制御部５０が、設定されたオフタイマーの設定時刻になったと判断すると（ステップＳ１０５；Ｙｅｓ）、ステップＳ１０９へ進む。
【００８２】
一方、制御部５０が、設定されたオフタイマーの設定時刻になっていないと判断すると（ステップＳ１０５；Ｎｏ）、制御部５０は、放送信号に基づいて所定の放送の終了について監視する。
【００８３】
そして、制御部５０が、放送信号に同期信号が含まれていないことに基づき、所定の放送が終了したことを判断すると（ステップＳ１０６；Ｎｏ）、ステップＳ１０９へ進む。
【００８４】
一方、制御部５０が、放送信号に同期信号が含まれていると判断すると（ステップＳ１０６；Ｙｅｓ）、ステップＳ１０７へ進む。
【００８５】
ステップＳ１０７において、制御部５０が、放送信号における画像データが特定の画像（例えば、カラーバー画面やモノスコ画面）を表示する画像信号であり、画像データに変化がないことによって所定の放送が終了したことを判断すると（ステップＳ１０７；Ｙｅｓ）、ステップＳ１０９へ進む。
【００８６】
一方、制御部５０が、放送信号における画像データに変化があると判断すると（ステップＳ１０７；Ｎｏ）、ステップＳ１０８へ進む。
【００８７】
ステップＳ１０８において、制御部５０が、表示領域Ｒの判別領域Ｈに対応する受信映像の経時変化量の割合が、所定の閾値より小さく所定の割合範囲内であることによって所定の放送が終了したことを判断すると（ステップＳ１０８；Ｙｅｓ）、ステップＳ１０９へ進む。
【００８８】
一方、制御部５０が、表示領域Ｒの判別領域Ｈに対応する受信映像の経時変化量の割合が、閾値である所定の割合範囲内でないと判断すると（ステップＳ１０８；Ｎｏ）、ステップＳ１０５に戻り、放送信号に基づくテレビ放映を行うとともに、オフタイマー設定時刻や放送終了の判断に関する監視を継続する。
【００８９】
ステップＳ１０９において、制御部５０は、放送信号に基づく受信映像データの音声データに応じた音声と、受信映像データの画像データに応じた受信映像の出力を停止するように、テレビ受像機１００の電源をオフに切り替えることにより、映像表示部４０における受信映像の表示を非表示に切り替え（ステップＳ１０９）、テレビ受像機１００を停止させて、テレビ受像機１００の動作処理を終了する。
【００９０】
このように、本発明に係るテレビ受像機１００によれば、所定の放送に関する放送信号
を受信し、その放送信号に応じた受信映像などのテレビ放映を行っている際に、その受信映像に基づき所定の放送が終了したと判断した場合に、放送信号に応じた受信映像の表示を非表示とするためにテレビ受像機１００の電源をオフに切り替えることができるので、番組放送の終了後にテレビ受像機１００がつけっぱなしになることを防ぎ、節電を行うことができる。
【００９１】
特に、本発明に係るテレビ受像機１００は、映像表示部４０の表示領域Ｒを判別領域Ｈと非判別領域Ｂとに区分するようにして、所望する位置に所望するサイズの判別領域Ｈを設定することができるので、その判別領域Ｈに対応する受信映像の経時変化量に基づき放送終了を判断することによって、番組放送終了後の放送局周辺の光景や定点カメラからの光景の映像に重ねて表示される天気予報図などの挿入画や字幕部分や、表示領域Ｒに表示される黒帯部分の映像変化に影響されることなく、所定の放送の終了をより正確に判断することが可能となる。そして、番組放送の終了をより正確に判断することによって、節電効率を向上させることができる。
【００９２】
また、このテレビ受像機１００においては、例えば、おやすみタイマーなどのように、所定時間後にテレビ受像機１００の電源をオンからオフに切り替えるように設定されたことに伴い、その設定時間が計時される際に、放送終了を判断するようになっている。そして、所定の放送が終了したと判断された場合には、所定の設定時間前でもテレビ受像機１００の電源をオフに切り替えることができるようになっているので、節電効率を向上させることができる。
【００９３】
次に、テレビ受像機１００において、放送信号に基づいて番組放送の終了を判断して、受信映像を非表示に切り替える処理の異なる実施形態について説明する。
【００９４】
テレビ受像機１００は、映像再生装置一体型テレビ受像機であるので、所定の放送の終了に伴い、テレビ受像機１００の電源をオフに切り替えるのでなく、記録媒体に記録されている映像信号を映像再生装置２０によって再生し、その再生映像を映像表示部４０に表示するようにしてもよい。
【００９５】
このテレビ受像機１００において、番組放送の終了後に、映像再生装置２０による再生映像に切り替える処理の一例について、図５に示すフローチャートに基づき説明する。
【００９６】
なお、図５に示すフローチャートにおけるステップＳ２０１からステップＳ２０８までの動作は、図４に示すフローチャートにおけるステップＳ１０１からステップＳ１０８に相当する動作と同様であるので、説明は省略する。
【００９７】
ステップＳ２０９において、制御部５０は、放送信号に基づく受信映像データの音声データに応じた音声と、受信映像データの画像データに応じた受信映像の出力を停止するとともに、所定の記録媒体に記録されている映像信号を映像再生装置２０によって再生し、その再生した映像信号に基づく映像データに応じた再生映像を映像表示部４０に表示し、映像信号データに応じた音声を音声出力部３０から出力するようにして、放送信号に基づく受信映像を非表示に切り替える（ステップＳ２０９）。
【００９８】
次いで、制御部５０は、時刻や時間を計時しつつ、設定されたオフタイマーの設定時刻になったか否か判断する（ステップＳ２１０）。
【００９９】
そして、制御部５０が、設定されたオフタイマーの設定時刻になったと判断すると（ステップＳ２１０；Ｙｅｓ）、ステップＳ２１１へ進む。
【０１００】
一方、制御部５０が、設定されたオフタイマーの設定時刻になっていないと判断すると（ステップＳ２１０；Ｎｏ）、ステップＳ２０９に戻り、映像信号の再生を継続する。
【０１０１】
ステップＳ２１１において、制御部５０は、設定されたオフタイマーの設定時刻になったとの判断に伴い、テレビ受像機１００の電源をオンからオフに切り替え、テレビ受像機
１００を停止させ（ステップＳ２１１）、テレビ受像機１００の動作処理を終了する。
【０１０２】
このように、本発明に係るテレビ受像機１００によれば、所定の放送に関する放送信号を受信し、その放送信号に応じた受信映像などのテレビ放映を行っている際に、その受信映像に基づき所定の放送が終了したと判断した場合に、放送信号に応じた受信映像の放映を停止するとともに、ＤＶＤなどに記録されている映像信号を映像再生装置２０により再生を行うことによって、受信映像を非表示に切り替えるとともに映像信号に応じた再生映像の表示に切り替えることができる。
【０１０３】
また、このテレビ受像機１００においては、例えば、おやすみタイマーなどのように、所定時間後にテレビ受像機１００の電源をオンからオフに切り替えるように設定されたことに伴い、その設定時間が計時される際に、所定の放送が終了したか否かを判断するようになっている。そして、所定の放送が終了したと判断された場合に、自動的に映像再生装置２０が映像信号を再生し、再生映像を表示するようになっている。
【０１０４】
つまり、使用者が、おやすみタイマーやオフタイマーの設定時間を設定し、あと何時間、何時まで、所定の放送に関する放送信号に基づく受信映像の放映を視聴しようとした際に、その設定時間前にその放送が終了してしまった場合に、自動的に再生映像の表示に切り替えられるので、使用者は設定した時間まで再生映像を視聴することができるようになる。
【０１０５】
そして、おやすみタイマーやオフタイマーなどにより、設定時間後にテレビ受像機１００の電源をオンからオフに切り替えるようになっているので、テレビ受像機１００の電源がオン状態のまま、テレビ受像機１００がつけっぱなしになるようなことは防止することができる。
【０１０６】
なお、以上の実施の形態において例示したように、映像の経時変化量の閾値は５０％であることに限らず、映像として映す対象物や、放送終了後の受信映像の態様等に応じて、任意に設定するようにすればよい。
【０１０７】
また、その他、具体的な細部構造等についても適宜に変更可能であることは勿論である。
【図面の簡単な説明】
【０１０８】
【図１】本発明に係るテレビ受像機の要部構成を示すブロック図である。
【図２】映像表示部を示す正面図である。
【図３】映像表示部の表示領域における判別領域パターン（（ａ）〜（ｄ）の４パターン）を示す説明図である。
【図４】本発明に係るテレビ受像機の映像表示処理の一例を示すフローチャートである。
【図５】本発明に係るテレビ受像機の映像表示処理の一例を示すフローチャートである。
【符号の説明】
【０１０９】
１０    受信部
２０    映像再生装置
３０    音声出力部
４０    映像表示部
５０    制御部（判別領域設定手段、判断手段、映像停止制御手段、オフタイマー制御手段）
５１    ＣＰＵ
５２    ＲＯＭ
５３    ＲＡＭ
６０    操作部（判別領域設定手段）
１００  テレビ受像機
Ｒ      表示領域
Ｈ（Ｈ１〜Ｈ４）  判別領域
Ｂ（Ｂ１〜Ｂ４）  非判別領域
【図１】
2006339805.tif 000003
【図２】
2006339805.tif 000004
【図３】
2006339805.tif 000005
【図４】
2006339805.tif 000006
【図５】
2006339805.tif 000007